(57)【要約】【課題】通常時は倒伏形態に、保守作業時には起立形態に保持できると共に、乗りかごの上面における組み上げ作業開始時の作業員の転落防止も実現できる。【解決手段】エレベータに備えられる昇降路を昇降する乗りかご７の上面に設けられ、通常時は倒伏形態に保持され、保守作業時には起立形態に保持されると共に、乗りかご７の上面の両側の外周部に沿って設置される一対の第１手摺り部１，２と、乗りかご７の背面側に沿って設置される第２手摺り部３とから成り、この第２手摺り部３は横桟部分３ａと３ｃに、また横桟部分３ｂと３ｄに分割形成され、それぞれ第１手摺り部１，２に支持手段を介して回動可能に接続されている。【選択図】図１
2005132547.tif 000002
【特許請求の範囲】
【請求項１】
エレベータに備えられる昇降路を昇降する乗りかごの上面に設けられ、通常時は倒伏形態に保持され、保守作業時には起立形態に保持されるエレベータのかご上手摺り装置において、
上記乗りかごの上面の両側の外周部に沿って設置される一対の第１手摺り部と、上記乗りかごの背面側に沿って設置される第２手摺り部とから成り、
上記第２手摺り部は分割形成され、それぞれ上記第１手摺り部に支持手段を介して回動可能に接続されることを特徴とするエレベータのかご上手摺り装置。
【請求項２】
上記請求項１記載の発明において、
上記第１手摺り部、及び上記第２手摺り部のそれぞれは、少なくとも２段の横桟を有することを特徴とするエレベータのかご上手摺り装置。
【請求項３】
上記請求項２記載の発明において、
上記第２手摺り部の横桟のうちの１つを、上記起立形態において上記第１手摺り部に水平方向の回動可能に支持させる支持手段と、
上記第２手摺り部の横桟のうちの別の１つを、上記起立形態において上記第１手摺り部に鉛直方向の回動可能に支持させる支持手段とを備えたことを特徴とするエレベータのかご上手摺り装置。
【請求項４】
上記請求項１記載の発明において、
上記第２手摺り部の分割形成された部分を接続する接続手段を備えたことを特徴とするエレベータのかご上手摺り装置。
【発明の詳細な説明】
【技術分野】
【０００１】
本発明は、エレベータの乗りかごの上面に配置され、作業員の転落防止用に活用されるエレベータのかご上手摺り装置に関する。
【背景技術】
【０００２】
この種のエレベータのかご上手摺り装置として、乗りかごの上面に設けられ、通常時は倒伏形態に保持され、保守作業時には起立形態に保持されるものが提案されている（例えば、特許文献１参照。）。
【０００３】
この従来技術では、保守作業に際して、まず、昇降路に接する乗場の床面に、乗りかごの上面が一致するように乗りかごを停止させることが行なわれる。次いで、乗場の戸が保守員用の鍵によって開けられ、保守員は乗りかごの上面に乗り込む。ここで、保守員は倒伏形態にあるかご上手摺り装置を起立させ、組み上げる作業を行なう。このように組み上げられた装置の内側において、保守員は昇降路内機器の保守作業を実施する。
【特許文献１】特開平１−２８１２８１号公報（第２頁左上欄第１２行〜右上欄第２０行、図１）
【発明の開示】
【発明が解決しようとする課題】
【０００４】
上述した従来技術では、乗りかごの上面に転落防止用の手段が確立されていない状態で、保守員はかご上手摺り装置の組み上げ作業を実施しなければならない。したがって、組み上げ作業を行なう保守員の安全保護の点で十分とは言えない。
【０００５】
なお、乗りかごの上面にかご上手摺り装置を通常時起立させた形態となるように装備させた場合には、昇降路頂部における乗りかごの上昇余裕距離を長く設定しなければならない。このために、昇降路頂部寸法が高くなり、エレベータが設置される建物における昇降路設備費用が増加してしまうことになる。
【０００６】
本発明は、上述した従来技術における実状からなされたもので、その目的は、通常時は倒伏形態に、保守作業時には起立形態に保持できると共に、乗りかごの上面における組み上げ作業開始時の作業員の転落防止も実現できるエレベータのかご上手摺り装置を提供することにある。
【課題を解決するための手段】
【０００７】
上記目的を達成するために、本発明は、エレベータに備えられる昇降路を昇降する乗りかごの上面に設けられ、通常時は倒伏形態に保持され、保守作業時には起立形態に保持されるエレベータのかご上手摺り装置において、上記乗りかごの上面の両側の外周部に沿って設置される一対の第１手摺り部と、上記乗りかごの背面側に沿って設置される第２手摺り部とから成り、上記第２手摺り部は分割形成され、それぞれ上記第１手摺り部に支持手段を介して回動可能に接続されることを特徴としている。
【０００８】
このように構成した本発明は、組み上げ作業開始時には、例えば保守員が乗場にいる状態で、倒伏形態に保持されている一対の第１手摺り部の一方を手で掴んで起立させ、次に他の第１手摺り部を起立させればよい。このように一対の第１手摺り部が起立している状態で保守員が乗りかごの上面に乗り込み、第２手摺り部の起立作業を含む所定の組み上げ作業を実施すればよい。
【０００９】
すなわち本発明は、通常時は倒伏形態に、保守作業時には起立形態に保持できると共に、乗りかごの上面における組み上げ作業開始時の作業員の転落防止をも、一対の手摺り部の起立によって実現させることができる。
【００１０】
また本発明は、上記発明において、上記第１手摺り部、及び上記第２手摺り部のそれぞれは、少なくとも２段の横桟を有することを特徴としている。
【００１１】
また本発明は、上記発明において、上記第２手摺り部の横桟のうちの１つを、上記起立形態において上記第１手摺り部に水平方向の回動可能に支持させる支持手段と、上記第２手摺り部の横桟のうちの別の１つを、上記起立形態において上記第１手摺り部に鉛直方向の回動可能に支持させる支持手段とを備えたことを特徴としている。
【００１２】
また本発明は、上記発明において、上記第２手摺り部の分割形成された部分を接続する接続手段を備えたことを特徴としている。
【発明の効果】
【００１３】
本発明は、以上の構成にしてあることから、通常時は倒伏形態に、保守作業時は起立形態に保持できると共に、乗りかご上面における組み上げ作業開始時の作業員の転落防止をも一対の第１手摺り部によって実現でき、従来に比べて保守員に対する安全保護を充実させることができる。
【００１４】
また、第２手摺り部を分割形成してあることにより、倒伏形態における装置全体の高さ寸法の増加を抑えることができ、昇降路頂部寸法を低くすることができる。
【発明を実施するための最良の形態】
【００１５】
以下，本発明に係るエレベータのかご上手摺り装置を実施するための最良の形態を図に基づいて説明する。
【００１６】
［本実施形態の基本構成］
図１は起立形態に保持されているときの本発明に係るエレベータのかご上手摺り装置の一実施形態を示す斜視図、図２は本実施形態に備えられる第１手摺り部のうちの一方を示す側面図、図３は本実施形態に備えられる接続手段を示す斜視図である。
【００１７】
図１に示すように、乗りかご７の上面の両側の外周部に沿って一対の第１手摺り部１，２を備えると共に、乗りかご７の上面の背面側の外周部に沿って第２手摺り部３を備えている。この第２手摺り部３は分割形成されている。
【００１８】
すなわち、一対の第１手摺り部のうちの一方の第１手摺り部１は、例えば上下２段の横桟１ａ，１ｂと、２本の縦桟１ｃとを有する。２本の縦桟１ｃのそれぞれは、乗りかご７の上面に固定された固定金具１ｄに支点１ｅにより回動可能に支持されている。
【００１９】
同様に、他方の第１手摺り部２は、例えば上下２段の横桟２ａ，２ｂと、２本の縦桟２ｃとを有する。２本の縦桟２ｃのそれぞれは、乗りかご７の上面に固定された固定金具２ｄに支点２ｅにより回動可能に支持されている。
【００２０】
また、第２手摺り部３は、上段の横桟が横桟部分３ａと３ｃに、下段の横桟が横桟部分３ｂと３ｄにそれぞれ分割形成されている。横桟部分３ａと３ｃは、第１手摺り部分１，２のそれぞれ対応する横桟１ａ，２ａに支持手段すなわち支点４ａ，４ｃによって、起立状態において水平方向への回動可能に接続されている。また、横桟部分３ａと３ｄは、第１手摺り部１，２のそれぞれ対応する横桟１ｂ，２ｂに図２に例示する支持手段すなわち支点４ｃ等によって、起立形態において鉛直方向への回動可能に接続されている。
【００２１】
例えば上述した第２手摺り部３の横桟部分３ａと３ｃとは、図３に示す接続手段を介して接続されている。すなわち、横桟部分３ｃの端部に接続金具６を固定してあり、横桟部分３ａの内部に接続金具６に嵌入可能な摺動部材６ｂを収容させてある。横桟部分３ａには案内孔５を形成させてあり、摺動部材６ｂに固定したつまみ６ａを、案内孔５から突出させてある。
【００２２】
横桟部分３ｃ側の接続金具６の端面と、横桟部分３ａの端面とを対向させた状態でつまみ６ａを案内孔５内を移動させると、摺動部材６ｂが接続金具６内に嵌入する。これによって横桟部分３ｃと横桟部分３ａとが堅固に接続する。
【００２３】
図示しないが、第２手摺り部３の下段の横桟部分３ｂ，３ｄにも、上述と同様の接続金具６、つまみ６ａを有する摺動部材６ｂ、及び案内孔５から成る接続手段が備えられている。
【００２４】
［乗りかごの上面での保守作業］
図４は本実施形態が倒伏形態に保持されている状態を示す斜視図、図５，６は本実施形態の組み上げ手順を示す図で、図５は第１手摺り部の組み上げを示す斜視図、図６は第２手摺り部の組み上げを示す斜視図である。
【００２５】
保守作業が実施されない通通常時は、図４に示すように、第１手摺り部１，２、第２手摺り部３は倒伏形態に保持されている。
【００２６】
保守作業時には、まず、昇降路に接する乗場の床面に乗りかご７の上面が一致するように乗りかご７を停止させる。次いで、乗場の戸が保守員用の鍵によって開けられる。
【００２７】
ここで保守員は、乗りかご７の上面に乗り込む前に、乗場の床面側から第１手摺り部１の横桟１ａの先端を掴んで持ち上げる。これによって一方の第１手摺り１が起立保持される。次に第１手摺り部２の横桟２ａの先端をつかんで持ち上げる。これによって他方の第１手摺り２が起立保持される。すなわち、図５に示すように、乗りかご７の上面の左右両側に転落防止用の手摺り部分が形成される。
【００２８】
この状態において、すなわち図５に示す状態において、保守員は乗りかご７の上面に乗り込み、今度は背面側の例えば第２手摺り部３の横桟部分３ｂ，３ｄを鉛直方向の下方に向けて回動させ、上述した接続手段を介して横桟部分３ｂと３ｄとを接続する。これによって図６に示す状態となる。
【００２９】
最後に、図６に示す状態において、保守員は第２手摺り部３の横桟部分３ａ，３ｃを水平方向に回動させ、上述した接続手段を介して横桟部分３ａと３ｃとを接続する。これによって、前述した図１に示す状態に組み上がる。したがって、作業員は、このように組み上げられた装置の内側において、昇降路内の機器の補修作業を行なう。
【００３０】
以上のように構成した本発明によれば、保守作業が実施されない通常時は、図４に示すように倒伏形態に保持でき、保守作業時には起立形態に保持できる。したがって、昇降路頂部寸法を高くなり過ぎないように抑えることができる。
【００３１】
そして特に、保守作業に際しては、乗りかご７の上面における組み上げ作業開始時の作業員の転落防止を一対の第１手摺り部１，２によって実現できる。したがって、保守員に対する安全保護を充実させることができる。
【００３２】
また、第２手摺り部２を、横桟部分３ａと３ｃに、横桟部分３ｂと３ｄにそれぞれ分割形成したことにより、図４に示すように倒伏形態における装置全体の高さ寸法の増加を抑えることができる。これにより昇降路頂部寸法を低くすることができる。
【００３３】
なお、上記実施形態において、組み上げ作業が完了したことを検出する安全スイッチを備え、この安全スイッチの動作に応じて乗りかご７の保守運転を許可する構成にしてもよい。このように構成した場合には、保守員の安全保護をより高めることができる。
【図面の簡単な説明】
【００３４】
【図１】起立形態に保持されているときの本発明に係るエレベータのかご上手摺り装置の一実施形態を示す斜視図である。
【図２】本実施形態に備えられる第１手摺り部のうちの一方を示す側面図である。
【図３】本実施形態に備えられる接続手段を示す斜視図である。
【図４】本実施形態が倒伏形態に保持されている状態を示す斜視図である。
【図５】本実施形態の組み上げ手順を示す図で、第１手摺り部の組み上げを示す斜視図である。
【図６】本実施形態の組み上げ手順を示す図で、第２手摺り部の組み上げを示す斜視図である。
【符号の説明】
【００３５】
１    第１手摺り部
１ａ  横桟
１ｂ  横桟
１ｃ  縦桟
１ｄ  固定金具
１ｅ  支点
２    第１手摺り部
２ａ  横桟
２ｂ  横桟
２ｃ  縦桟
２ｄ  固定金具
２ｅ  支点
３    第２手摺り部
３ａ  横桟部分
３ｂ  横桟部分
３ｃ  横桟部分
３ｄ  横桟部分
４ａ  支点（支持手段）
４ｂ  支点（支持手段）
４ｃ  支点（支持手段）
５    案内孔（接続手段）
６    接続金具（接続手段）
６ａ  つまみ（接続手段）
６ｂ  摺動部材（接続手段）
７    乗りかご
【図１】
2005132547.tif 000003
【図２】
2005132547.tif 000004
【図３】
2005132547.tif 000005
【図４】
2005132547.tif 000006
【図５】
2005132547.tif 000007
【図６】
2005132547.tif 000008